(57)【特許請求の範囲】
【請求項１】
記録媒体にコンテンツを記録および再生する記録再生装置において、
前記記録媒体は記録再生装置から脱着可能な構造体であり、
前記記録再生装置は、記録再生装置に割り当てられた識別符号を記憶する脱着可能で情報記録可能な識別手段、および前記記録再生装置内に配置された前記識別符号を記憶するメモリ手段を備え、
コンテンツの記録時には、
前記識別符号を前記記録媒体に記録し、
コンテンツ配信側から送付された時刻情報を参照して記録開始または終了の年月日時刻を示す時間情報を前記記録媒体と、前記識別手段または前記メモリ手段に記録し、
コンテンツの再生時には、
前記記録媒体に記録した前記識別符号と、前記識別手段および前記メモリ手段に記憶された識別符号に基づいて再生許可を判断するとともに、
前記記録媒体または前記識別手段または前記メモリ手段に記録された前記時間情報と、前記コンテンツ配信側から送付された時刻情報に基づいて再生許可の判断をする
ことを特徴とした記録再生装置。
【請求項２】
請求項１の記録再生装置において、
記録されたコンテンツを再生する期間を管理する期間管理手段を備え、
記録されるコンテンツに再生を許可する期間が限定される場合には、コンテンツ記録時に、再生許可期間を示す信号を前記記録媒体、または前記識別手段、または前記メモリ手段に記録し、
コンテンツ再生時に、
前記記録媒体、または前記識別手段、または前記メモリ手段に記録された前記再生許可期間を示す信号と、前記コンテンツ配信側から送付された時刻情報により、前記期間管理手段が再生許可を判断することを特徴とする記録再生装置。
【請求項３】
請求項１の記録再生装置において、
他の記録再生装置に対して記録媒体に記録されているコンテンツを出力し、前記他の記録再生装置は前記出力されたコンテンツを前記他の記録再生装置の記録媒体に記録して複製したとき、
前記コンテンツを出力した前記記録再生装置は、出力したコンテンツが記録されていた前記記録媒体のコンテンツを消去する処理を行うようにしたことを特徴とする記録再生装置。
【発明の詳細な説明】
【０００１】
【発明の属する技術分野】
光ディスクや磁気テープを利用したデータ、音声、映像配信を実現する上で好適な記録再生システムを提供することにある。
【０００２】
【従来の技術】
ＶＴＲなどの映像記録再生装置は、一般家庭内でＴＶ放送等の映像記録に用いられユーザに対しタイムシフト機能を提供している。
【０００３】
また、コンテンツを配信する側にとっても深夜の時間帯に配信し、ユーザの希望する時刻に再生させるタイムシフト機能は、電波や通信キャリアのインフラを有効に活用できる効果がある。
【０００４】
一方記録再生装置は、一般に複製が可能であり著作権を保護する手段が必要となっている。特にＶＴＲや、光ディスクのような脱着可能な記録媒体では大量に複製されると著しく著作権を侵害する可能性があり、著作権を保護する手段が特に注目され各種の技術が適用されようとしている。
【０００５】
ＤＶＤ（Digital Versatile Disc）では、映画の著作権を保護するためにデータを暗号化したデータをディスクに記録することが行われ、各再生装置は、その暗号を解読し映像信号を得ている。
【０００６】
【発明が解決しようとする課題】
上記暗号化手段を講じても、暗号化を不適切に解読し破られる事態が生じる恐れがあり、著作権を保護する上で記録再生装置として不十分なシステムとなり問題視されることが考えられる。そこで、記録再生装置として著作権を保護する手段を提供することにある。
【０００７】
本発明は上記の点に鑑みなされたもので、その目的とするところは、ディジタル／アナログ入出力を備えたビットストリーム記録再生装置あるいはＲＴＲＷ（Real Time Read Write）等の記録再生装置において、著作権のあるデータが不正に記録または再生されることを防止することにある。
【０００８】
【課題を解決するための手段】
そこで、ＶＴＲ用磁気テープや光ディスクのような脱着可能な記録媒体であってもその記録媒体が特定の装置だけでしか再生できない記録再生装置を提供する。そのために、記録再生装置はＩＣカードなど、一般に複製することが困難な識別手段を有し、記録媒体に所望のデータが記録される時、記録再生装置はその識別手段が持っている識別符号を読み取り、記録媒体に記録再生装置毎に異なる識別符号を記録する。
【０００９】
再生時には、上記記録媒体上と上記識別手段上の識別符号の一致を確認し再生動作させる制御を行なうことにより達成される。
【００１０】
【発明の実施の形態】
本発明の第１の実施例を図１を用いて説明する。図１は、本発明の光ディスクを用いた映像記録再生システムのブロック図の本発明にかかわる主要部分を示した図である。特に、物理的に記録再生に必要不可欠な要素については図示していない。図１において、１は、複製することが困難な識別手段で、記録再生装置から脱着可能な構造である。識別手段１はＩＣカードのようなメモリを含む集積回路を内蔵したカード形状のものでもよいが特に限定はしない。また２は、識別手段に記憶されている情報を読み取る読み取り回路である。３は、脱着可能な記録媒体に記録再生を行う記録再生回路、４は、識別手段の内容とディスクの内容を比較する手段であり、一般的にはマイクロコンピュータにより実行される。７は記録媒体である光ディスクや磁気テープなどであり、１１は記録および／または再生装置、１２は記録再生装置に備えられたメモリA、８はメモリに記憶されている識別信号ａ、５は識別手段に記憶されている識別信号ｂ、６は光ディスクに記録された識別信号ｃ、１４は液晶パネルやＬＥＤなどの表示手段を示す。
【００１１】
ここでは光ディスクの場合を用いて図１により動作を説明する。記録再生装置１１には、あらかじめ特定の識別符号ａが割り付けられており、メモリAに記憶されていて、ユーザーが容易に書き換える事は出来ないようになっている。この識別符号ａは、市場で稼動する複数台の記録再生システムでは、同一の値となる確率をほぼ零とするように、ビット数を決定している。次に、識別手段１は、その記録再生装置に対応したものであり、こちらもユーザーが容易に書き換える事は出来ないようになっている。よって識別手段１に記憶されている識別情報ｂは、その記録再生装置に対応したものである。識別手段１が装着されると、読み取り回路２は識別手段１から識別符号ｂを読み取る。読み取り回路２は識別符号ｂを読み取り、メモリ１２の識別符号ａと比較して、記録再生装置に対応した識別手段かどうかを判断する。判断した結果、識別符号ｂとメモリA１２の識別符号ａが一致すれば、この記録再生装置で記録を許可する状態となり、一致しなければ、記録不可の状態となる。識別手段２が全く組み込まれない場合には、記録も再生も出来ない状態となる。ここで、一致しなかった場合は、表示手段１４を用いて識別手段１が対応しないものであることを表示するか、それを意味する信号を外部へ出力するようにする。また、識別符号ｂとメモリA１２の識別符号ａが一致しなければ、記録不可の状態を表示し、併せて識別符号ａに対応した識別手段１を表示するようにすると、対応していない識別手段を誤って組み込むことを防止できる。
【００１２】
次にコンテンツが未記録の光ディスク７が、記録再生装置１１に挿入された場合は、ディスク７にあらかじめ記録されているファイル管理情報により、コンテンツが記録されていないと判断する。そして、記録再生装置１１に対応した識別手段１が組み込まれていれば、記録再生装置が記録を許可された状態かどうかを確認し、それを表示手段１４に表示する。識別手段が組み込まれていなければ、その旨を表示する。その結果、記録可能な状態と確認されれば、所望のコンテンツを記録再生手段３により記録する。この時に、読み取り回路２で読み取った識別符号ｃをコンテンツの信号（ここでは図示しない）と対応させてディスク７に記録する。また、新たに別の未記録の光ディスクが挿入された場合にも、同様に識別手段１により記録可能かどうかを判断し、記録する場合には、識別符号をコンテンツの信号と対応させてディスクに記録する。未記録の記録媒体が入れ替わる毎に、上記動作が行われる。
【００１３】
記録済みのディスクが挿入された場合は、そのディスクに対して記録するか再生するかで動作が異なる。記録時には、未記録ディスクの時と同様に記録再生装置が記録を許可された状態かどうかを確認し、それを表示手段１４に表示する。
【００１４】
再生時には、各コンテンツと対応させて記録された識別符号ｃをディスク７から読み出す。そのコンテンツの識別符号ｃが、識別手段１から読み出された識別符号ｂと一致するかを比較手段４が比較する。ディスク７に記録された識別符号ｃが、識別手段１から読み出された識別符号ｂと一致しているかを比較手段４で比較し、一致していることで識別手段１を組み込んだ状態で記録したディスクであると判断できる。そして、一致した場合は、そのコンテンツの再生を行うことが可能となる。ここで、例えば、ディスクに記録された一番目のコンテンツの識別符号の一致は確認されたが、二番目のコンテンツの識別符号が一致しない場合には、一番目のコンテンツのみを再生し、二番目のコンテンツを再生しないようにする。この時、二番目のコンテンツは再生できないことを表示したり、そのコンテンツに対応した識別符号を持つ識別手段の名前を表示したりしても良い。
【００１５】
また、もし、そのコンテンツに再生期間や再生回数の制限がある場合には、その許可範囲内ならば再生を行うようにする。
【００１６】
ここで、メモリA１２の識別符号ａと識別手段１から読み出された識別符号ｂは一致しないが、識別符号ｂとディスクから読み出した識別符号ｃが一致した場合には、新たに記録することは許可しないが、ディスクに記録されたコンテンツを再生することは許可する。このように、識別手段１と対応したディスク７を記録再生装置に挿入することにより、識別手段１と対応した記録再生装置でなくても再生のみ可能となる。
【００１７】
ディスクが複数枚挿入できる記録再生装置の場合にも、記録可能なディスクが挿入されていれば、記録再生装置１１に対応した識別手段１が組み込まれているかどうかを確認して、記録を許可するかを判断する。記録済みのディスクが挿入されていれば、識別手段１の識別符号ｂと、夫々のコンテンツと対応させて記録された識別符号ｃにより、再生許可を確認する。
【００１８】
また、一旦記録したコンテンツを消去するには、そのコンテンツを記録した記録再生装置であり、その装置に対応した識別手段が装着されている状態の時に許可される。それ以外の組み合わせの時には、消去を許可しないようにし、記録再生装置が異なるか、識別手段が異なるか、その両方が異なるかを表示するようにしても良い。
【００１９】
識別符号ｃは識別符号ｂに対応すれば、識別符号を更新してもよい。例えば、ユーザが記録するコンテンツごと、またはディスクのコンテンツの順序にあわせて、識別符号が特殊な規則に従って更新されるようにしてもよい。このようにすることで、識別符号ｃを改ざんすることを困難に出来る。
【００２０】
このような機能を備えた識別手段を記録再生装置と一緒に提供することで、この記録再生システムを普及する。また、記録再生装置の購入の再に、ユーザー登録などで、その装置の識別符号ａ及び識別符号ｂを管理するようにすると、識別手段の偽造などの行為への対処が可能となるし、識別手段を紛失した場合に、再発行することもできる。また、記録再生装置を交換した場合には、古い識別手段のみを保存することで、その識別手段に対応したディスクのコンテンツの再生は可能である。そのため、記録再生装置の買い替え、故障などにも対応でき、古い記録再生装置を処分しても識別手段を保存するだけでよい。
【００２１】
ここで図１に示した読み取り回路８や、記録再生手段３は、一つの装置として構成されたものでも良いが、例えば、ＰＣ（personal  computer）のように、それぞれの装置や手段を組み合わせて追加・削除できる構成のものでも構わない。
【００２２】
図２は、記録したコンテンツに関する情報を記憶するメモリを有する本発明の実施例であり、１３はメモリ２で、他は図１と同一構成である。ここで、メモリBはメモリAと独立に記載したが、これは同一のメモリを用いても良く、またメモリBに記憶する情報を識別手段１に記憶するようにしても構わない。
【００２３】
所望の映像コンテンツを記録する度に、説明のためわかりやすいように、例えばコンテンツの順に１，２，３，…インクリメントする値を光ディスク上およびメモリBに記録する。この時、記録するコンテンツに関する情報、例えば記録制限、再生制限の情報を合わせて記録する。仮に、コンテンツのコピー制御をする場合には、その情報を記録することにより正しくコピー制御がでできる。このように、コンテンツに関する情報を記録しておくことにより、コンテンツごとに異なる制御が可能となる。コンテンツに関する情報は、光ディスク上およびメモリBの両方でなくとも、どちらか片ほうに記録するようにしても良いが、両方に記録し、その情報を比較することにより、改ざんされることを困難にする。
【００２４】
記録されたコンテンツがディスクから消去される時には、そのコンテンツに対応したメモリB内の情報も削除するようにする。もしくは、ディスク上のコンテンツは削除し、メモリB内の情報は削除されたという来歴を残すようにする。
【００２５】
ここで図２では、メモリBはシステム制御手段４に接続するものとして示したが、ここに記録される情報は、記憶手段に１に記憶されてもよい。
【００２６】
図３は、時刻表示機能を有する本発明の実施例であり、１５はタイマーで、他は図１，２と同一構成である。この実施例のポイントは、所望のコンテンツが記録されるときに記録するコンテンツと対になって、タイマー１５の値をメモリBとディスク、またはディスク７または識別手段１に記録する。これによりコンテンツの記録された時間を知ることが可能になる。
【００２７】
または、記録されたコンテンツを再生した時に、タイマー１５の値をメモリBとディスク、またはディスクまたは識別手段１に記録する。これによりコンテンツが再生された時間を知ることが可能になる。
【００２８】
図４は、時刻表示機能のタイマー設定がコンテンツ配信側で実施できる実施例であり、１６は入力端子、１８は時間情報で、ほかの機能は図３と同様である。
【００２９】
この実施例では、ディジタル放送などで付加情報として送られてくる時刻情報を利用したものであり、記録を開始するときは必ずタイマー１５に放送局から送付された値をロードする。これによりユーザが故意に時間を狂わせたとしても、記録時に修正され正しい時刻とすることができる。また、放送受信時以外にもタイマー１５を常時動作させることで、装置としての時間表示などでほぼ正確に独立にタイマ動作させることができる。
【００３０】
このように送られてくる時刻情報をタイマー１５にロードすることにより、放送間が変更された場合にも、シフトした時間量をタイマー１５に送ることで、変更後の放送に対応することが可能となる。
【００３１】
図５は、時刻表示機能のタイマー設定とともに記録データの再生期間を示す情報がコンテンツと一緒に、または付加されて配信される実施例であり、１９は記録データの再生する期間を管理する手段で、ほかの機能は図４と同様である。この実施例は、コンテンツが記録された時に、コンテンツの再生を許可する期間を、記録するコンテンツと対にして、ディスク７に記録するものである。この再生を許可する期間を示す信号が、例えば電子透かしのような方法でコンテンツ自体に含まれている場合には、ディスク７に記録し、時刻情報１８に含まれていたりコンテンツと一緒にすぐに読み出せる場合には識別手段１とメモリBとディスク、又はそのいずれかに記録してもよい。少なくとも、再生の許可を判定する情報が記録されている識別手段かディスクのどちらかには記録されている必要がある。例えば、コンテンツが記録された時刻はディスクに、コンテンツの再生を許可する期間を識別手段１に記録する。
【００３２】
期間制御手段１９は、コンテンツと対になってディスクに記録されている記録時のタイマー１５の値、すなわち記録された時刻と、ディスク７にコンテンツと対になって記録された再生を許可する期間を示す信号により、コンテンツの再生を許可する期間内かどうかを判断し制御する。例えば、再生許可期間が１年間で、記録した時刻から一年が経過していれば再生を許可しないようにする。勿論、再生許可期間は、日数、時間、分、秒の単位でも制御可能である。
【００３３】
また、記録されたコンテンツを再生した時に、タイマー１５の値をメモリBとディスク、またはディスクまたは識別手段１に記録する場合には、初めて再生された時刻と、ディスク７にコンテンツと対になって記録された再生を許可する期間を示す信号により、初めて再生された時刻からコンテンツの再生を許可する期間内かどうかを判断し制御することも可能である。
【００３４】
仮に、記録再生手段が受信手段（図示しない）を備え、放送局等から時間情報等の情報を受信するとき、期間管理手段１９は再生を開始するときは必ずタイマー１５に放送局から送付された値をロードするようにすることで、ユーザが故意に時間を狂わせたとしても、再生時に修正され、正しい再生期間の管理をすることができる。また、再生時以外にもタイマー１５からの信号を常時受信させることで、装置としての時間表示などでほぼ正確に独立にタイマ動作させることができる。
【００３５】
図７は、記録データとともに記録データの再生回数制限を示す情報がコンテンツと一緒に、または付加されている実施例であり、５０はデータの再生回数を管理する手段で、ほかの機能は図５と同様である。この実施例は、コンテンツが記録された時に、コンテンツの再生を許可する回数を、記録するコンテンツと対にして、ディスク７、または識別手段１に記録するものである。この再生を許可する回数を示す信号が、例えば電子透かしのような方法でコンテンツ自体に含まれている場合には、ディスク７に記録し、コンテンツと一緒にすぐに読み出せる場合には識別手段１とメモリBとディスク、又はそのいずれかに記録してもよい。少なくとも、再生した回数を判定する情報が、識別手段かディスクのどちらかには記録されている必要がある。例えば、コンテンツが再生された回数は識別手段１に、コンテンツの再生を許可する回数をディスク７に記録する。
【００３６】
再生回数制限手段５０は、コンテンツと対になってディスク７に記録されている再生制限回数と、識別手段１にコンテンツが再生され回数により、コンテンツの再生を許可する回数以内かどうかを判断し制御する。例えば、再生回数制限が３回で、再生回数が２回であれば、あと１回までは再生を許可するようにする。また、戻って途中から再生を開始する場合にも、１回の再生回数とみなし、カウントするようにする。これにより、途中から再生を無限に繰り返し再生することを防止する。
【００３７】
ここで、再生した出力を受け取る受信側が、記録可能な機器である場合には、記録機器への出力回数をカウントすることにより、複製回数を制限することも可能となる。また、同様に出力時のコンテンツの品質、例えば、映像の解像度や音声のサンプリング数などに応じて、記録または再生の回数をカウントし、回数制限をすることも可能となる。
【００３８】
図８は、記録データとともに記録データの複製世代制限を示す情報がコンテンツと一緒に、または付加されており、それに従って複製世代制限を行う場合の実施例である。複製の世代制限とは、送られてきた信号を記録媒体に記録し、次にその記録媒体からの再生信号を別の記録媒体に記録すると、複製の世代としては親にたいして子に相当し、さらに子をもとに複製すると孫に相当する。この時、何世代までの複製を許可するかということが、複製の世代の制限となる。ここでは、分かりやすくするために、別の記録再生装置を用いて、別の記録媒体に記録する場合について示す。
【００３９】
５１は記録再生装置ｘ、５２は複製世代制限情報ｘ、５３は識別手段ｘ、５４はディスクｘ、５５は記録再生装置ｙ、５６は複製世代制限情報ｙ、５７は識別手段ｙ、５８はディスクｙ、５９は記録再生装置ｚ、６０は複製世代制限情報ｚ、６１は識別手段ｚ、６２はディスクｚである。記録再生装置５１により、ディスクｘにコンテンツが記録され、同時に複製世代制限を示す情報が、ディスクｘまたは識別手段ｘまたはその両方に記録される。ここでは、仮に複製世代制限を示す情報は識別手段ｘに記録され、制限回数は２回までとする。次に、このコンテンツを複製するために、記録再生装置ｙを接続しディスクｙに複製する。このとき、複製世代制限を示す情報は、あと１回となり、それを示す信号が識別手段ｙに記録される。さらに、このコンテンツをもう一度複製するために、記録再生装置ｚを接続しディスクｚに複製する。このとき、複製世代制限を示す情報は、あと０回となり、それを示す信号が識別手段ｚに記録される。このように、複製制限回数が２回までのコンテンツを２回複製したのち、さらに別の記録媒体に複製しようとしても、識別手段ｚに記録されている複製世代制限を示す情報があと０回なので、複製のための出力を出さないようにする。このような方法により、複製の世代を制限することが可能となる。
【００４０】
また、ここでは、複製世代制限について記したが、複製されるときに、もとのコンテンツが消去される場合、すなわちコンテンツが別の記録媒体に移動するような場合にも、適応できる。
【００４１】
図６は、プリンタ２０を追加した実施例である。記録再生装置１１に対して、一対一に対応した識別手段１でない場合、識別手段毎に異なる固有の値をそのまま表示手段１４に表示すると、複製される恐れがあるため、それとは異なる別の簡単な識別記号を表示するようにする。ここでは図示しないが、外部入力装置を用いて、文字列のような識別記号を登録できるようにしても良い。また、この識別記号をプリントするプリンタ２０を備えディスクまたはディスクのケースに添付するようにすることで、記録したディスクと対応した識別手段１の組み合わせを簡単に見分けることが出来る。ここで、一枚の記録ディスクに複数のコンテンツが記録された時には、それぞれのコンテンツごとに識別手段１が異なる場合があるため、コンテンツ名と識別信号を合わせてプリントすることが望ましい。
【００４２】
さらに、再生可能な装置における再生の制御については、記録可能な媒体だけでなく、あらかじめデータが記録されており、追加記録が不可能な媒体、例えばＤＶＤ−ＲＯＭディスクのような場合にも適用できる。
【００４３】
コンテンツに識別符号を割り当て、ディスクに記録するに当たり、これと同じ割り当ての識別符号を記録した識別手段を製造することにより、複数の記録済みディスクとそれを再生可能な状態にする識別手段が準備できる。よって、記録済みディスクと識別手段を一緒に貸し出すことにより、先に示した実施例と同様の再生制御が可能となる。このよう方法を用いることで、ソフト貸し出し業者などによる記録済みディスクの貸し出し再生が可能となる。
【００４４】
図９は、本発明を衛星放送の受信装置と、記録再生装置に採用した例を示したものである。９０は衛星放送受信装置、９１はアンテナ、９２は衛星放送を尊号を受信し、チェンネルを選択する受信回路、９３は受信信号の暗号を解いたり、映像・音声信号に復号する復号回路、９４は受信装置全体をコントロールする制御回路、９５は映像・音声信号や、一緒に送られてくる情報を記録する記録再生装置である。ここで、受信装置に組み込まれた読み取り回路により、識別手段の識別信号ｂを読み取ることにより、制御回路９４は、識別信号ｂを判断し、復号して出力してよいかを判断する。これにより、復号された信号はモニタに出力されるだけでなく、記録再生装置９５に入力される。この時、出力された映像・音声信号を記録するのに併せて、識別信号ｂも記録再生装置に出力し、記録媒体に記録するようにする。このような方法とすることで、記録媒体にどの受信装置を用いて復号したコンテンツかを判断することができ、先に示したものと同様な記録再生の制御を行うことが可能になる。
【００４５】
【発明の効果】
以上のように本発明によれば、ＶＴＲ用磁気テープや光ディスクのような脱着可能な記録媒体であってもその記録媒体が特定の装置だけでしか再生できない記録再生システムを実現し、著作権のあるデータが不正に記録または再生されることを防止する。
【図面の簡単な説明】
【図１】本発明の１実施形態に係る、本発明の光ディスクを用いた記録再生システムのブロック図の本発明にかかわる主要部分を示した図である。
【図２】本発明の１実施形態に係る、本発明の光ディスクを用いた記録再生システムの別の実施例を示す図である。
【図３】本発明の実施例の時刻表示機能を有する構成例を示す図である。
【図４】本発明の実施例の時刻表示機能のタイマー設定がコンテンツ配信側で実施できる構成例を示す図である。
【図５】本発明の実施例の期限管理機能を実施できる構成例を示す図である
【図６】本発明の実施例のプリンタを備えた構成例を示す図である。
【図７】本発明の実施例の再生回数制御機能を実施できる構成例を示す図である。
【図８】本発明の複製世代制限を行う場合の実施例を示す図である。
【図９】本発明を衛星放送の受信装置と、記録再生装置に採用した例を示す図である。
【符号の説明】
１…識別手段、２…記録再生回路、４…比較手段、５…識別手段に記憶されている識別信号ｂ、６…光ディスクに記録された識別信号ｃ、７…記録媒体、８…メモリに記憶されている識別信号ａ、１１…記録および／または再生装置、１２…記録再生装置に備えられたメモリA、１４…表示手段。
【図１】
0003873619.tif 000002
【図２】
0003873619.tif 000003
【図３】
0003873619.tif 000004
【図４】
0003873619.tif 000005
【図５】
0003873619.tif 000006
【図６】
0003873619.tif 000007
【図７】
0003873619.tif 000008
【図８】
0003873619.tif 000009
【図９】
0003873619.tif 000010